(57)【要約】【課題】特別部材の輸送時の外れにくさの向上を図ることができる冷蔵庫を提供することである。【解決手段】実施形態の冷蔵庫は、筐体と、棚と、特別部材とを持つ。前記筐体は、貯蔵室を有する。前記棚は、前記貯蔵室に配置されている。前記棚の周縁部の下部には、第１受け部が設けられている。前記特別部材は、前記第１受け部に取り付けられ、前記棚に支持されている。【選択図】図１
2020098066.tif 000002
【特許請求の範囲】
【請求項１】
貯蔵室を有した筐体と、
前記貯蔵室に配置され、周縁部の下部に第１受け部が設けられた棚と、
前記第１受け部に取り付けられ、前記棚に支持された特別部材と、
を備えた冷蔵庫。
【請求項２】
前記筐体は、前記貯蔵室の側部に設けられて前記棚が載せられる棚支持部を有し、
前記棚は、前記棚支持部に下方から面する部分を含む上下位置規制部を有し、
前記第１受け部は、前記上下位置規制部よりも前側に配置されている、
請求項１に記載の冷蔵庫。
【請求項３】
前記棚は、前記特別部材が取り付けられる第２受け部を有し、
前記第２受け部は、前記上下位置規制部よりも後側に配置されている、
請求項２に記載の冷蔵庫。
【請求項４】
前記特別部材は、第１取付部を有し、
前記第１受け部は、前記第１取付部が挿入される空間部と、前記空間部に挿入された前記第１取付部を下方から支持する支持部とを含む、
請求項１から請求項３のうちいずれか１項に記載の冷蔵庫。
【請求項５】
前記棚は、前記第１取付部が前記空間部から抜ける第１方向とは反対の第２方向から前記特別部材に面した第１抜け抑制部を有する、
請求項４に記載の冷蔵庫。
【請求項６】
前記第１抜け抑制部は、前記特別部材の中心よりも前側に配置されている、
請求項５に記載の冷蔵庫。
【請求項７】
前記筐体は、前記貯蔵室の側部に設けられて前記棚が載せられる棚支持部を有し、
前記棚は、前記棚支持部に下方から面する部分を含む上下位置規制部を有し、
前記第１抜け抑制部は、前記上下位置規制部よりも前側に配置されている、
請求項５または請求項６に記載の冷蔵庫。
【請求項８】
前記棚は、前記第２方向から前記特別部材に面した第２抜け抑制部を有し、
前記第２抜け抑制部は、前記冷蔵庫の前後方向で、前記上下位置規制部に対して前記第１抜け抑制部とは反対側に配置されている、
請求項７に記載の冷蔵庫。
【請求項９】
前記筐体は、前記貯蔵室の側部に設けられて前記棚が載せられる棚支持部を有し、
前記棚支持部は、前記棚支持部の前後方向の中心よりも後側に凹部を有し、
前記棚は、前記凹部に挿入されて前記棚の前後位置を規制する第１前後位置規制部と、前記第１取付部が前記空間部から抜ける第１方向とは反対の第２方向から前記特別部材に面した複数の抜け抑制部とを有し、
前記複数の抜け抑制部は、前記第１前後位置規制部よりも前側に配置されている、
請求項４から請求項８のうちいずれか１項に記載の冷蔵庫。
【請求項１０】
前記特別部材は、前記第１受け部に取り付けられる第１取付部を有し、
前記棚の周縁部は、前記冷蔵庫の前後方向で前記第１取付部よりも前側に配置され、前記冷蔵庫の前方から前記第１取付部に面し、前記第１取付部の前後方向の位置を規制する第２前後位置規制部を有する、
請求項１から請求項９のうちいずれか１項に記載の冷蔵庫。
【請求項１１】
前記特別部材は、前記特別部材が前記棚に対して所定のスライド方向にスライド移動されることで前記第１受け部に取り付けられる第１取付部を有した、
請求項１から請求項１０のうちいずれか１項に記載の冷蔵庫。
【請求項１２】
前記棚の周縁部は、前記スライド方向に沿って延びて前記第１取付部の前記スライド方向の移動を案内する第１壁部を有した、
請求項１１に記載の冷蔵庫。
【請求項１３】
前記特別部材は、前記第１受け部に取り付けられる第１取付部を有し、
前記棚の周縁部は、前記冷蔵庫の前後方向で前記第１受け部および前記第１取付部の前側に配置されて前記冷蔵庫１の横幅方向に延びた第１壁部を有し、
前記第１壁部は、前記棚および前記特別部材が前記貯蔵室内に配置された状態で、前記第１取付部の上端よりも下方まで延びている、
請求項１から請求項１１のうちいずれか１項に記載の冷蔵庫。
【請求項１４】
前記特別部材は、前記第１受け部に取り付けられる第１取付部を有し、
前記棚の周縁部は、前記冷蔵庫の前後方向で前記第１取付部の前側に配置され、前記第１取付部を前方から遮蔽した第１壁部を有した、
請求項１から請求項１３のうちいずれか１項に記載の冷蔵庫。
【請求項１５】
前記特別部材は、前記冷蔵庫の前後方向で前記第１受け部および前記第１取付部の前側に配置されて前記冷蔵庫の横幅方向に延びた第２壁部を有し、
前記第１壁部は、前記冷蔵庫の前後方向で前記第２壁部の前側に配置されるとともに、前記棚および前記特別部材が前記貯蔵室内に配置された状態で、前記第２壁部の上端よりも下方まで延びている、
請求項１２から請求項１４のうちいずれか１項に記載の冷蔵庫。
【請求項１６】
前記特別部材は、前記貯蔵室のなかで前記冷蔵庫の横幅方向で前記スライド方向の進行先側とは反対側に偏って配置され、前記スライド方向とは反対方向の移動が前記貯蔵室の側部により規制されている、
請求項１から請求項１５のうちいずれか１項に記載の冷蔵庫。
【請求項１７】
前記棚は、ガラス板と、前記ガラス板の周縁に沿う非ガラス製の枠部とを含み、
前記第１受け部は、前記枠部に設けられている、
請求項１から請求項１６のうちいずれか１項に記載の冷蔵庫。
【請求項１８】
貯蔵室を有した筐体と、
前記貯蔵室の天井部または前記貯蔵室に配置された棚に対して所定のスライド方向にスライド移動されることで前記天井部または前記棚に着脱可能に取り付けられて前記天井部または前記棚に支持された特別部材と、
を備え、
前記特別部材は、前記貯蔵室のなかで前記冷蔵庫の横幅方向で前記スライド方向の進行先側とは反対側に偏って配置され、前記スライド方向とは反対方向の移動が前記貯蔵室の側部により規制されている、
冷蔵庫。
【発明の詳細な説明】
【技術分野】
【０００１】
本発明の実施形態は、冷蔵庫に関する。
【背景技術】
【０００２】
氷を製造し貯蔵する製氷機ユニットと、冷凍室に設けられて前記製氷機ユニットが取り付けられる受け部とを有した冷蔵庫が知られている。ところで、冷蔵庫は輸送時に振動が加わり、製氷機ユニットが前記受け部から外れて冷凍室内で落下する可能性がある。このため、冷蔵庫の輸送時には、前記製氷機ユニットのような特別部材が受け部から外れないようにしっかりと梱包する必要があり、輸送コストの増加を招く場合があった。
【先行技術文献】
【特許文献】
【０００３】
【特許文献１】特開２０１５−１５８２８４号公報
【発明の概要】
【発明が解決しようとする課題】
【０００４】
本発明が解決しようとする課題は、特別部材の輸送時の外れにくさの向上を図ることができる冷蔵庫を提供することである。
【課題を解決するための手段】
【０００５】
実施形態の冷蔵庫は、筐体と、棚と、特別部材とを持つ。前記筐体は、貯蔵室を有する。前記棚は、前記貯蔵室に配置されている。前記棚の周縁部の下部には、第１受け部が設けられている。前記特別部材は、前記第１受け部に取り付けられ、前記棚に支持されている。
【図面の簡単な説明】
【０００６】
【図１】実施形態の冷蔵庫の内部を示す斜視図。
【図２】実施形態の冷凍室の内部を示す斜視図。
【図３】実施形態の冷凍室の内部を示す正面図。
【図４】図３中に示された冷凍室のＦ４−Ｆ４線に沿う断面図。
【図５】実施形態の冷凍室棚を斜め上方から見た斜視図。
【図６】実施形態の冷凍室棚を示す平面図。
【図７】実施形態の冷凍室棚を斜め下方から見た斜視図。
【図８】実施形態の冷凍室棚を示す下面図。
【図９】実施形態の第１抜け抑制部を拡大して示す斜視図。
【図１０】実施形態の抜け抑制部の弾性変形を示す断面図。
【図１１】実施形態の製氷機ユニットを分解して示す斜視図。
【図１２】実施形態の製氷機ユニットの取り付け方法を示す断面図。
【図１３】実施形態の製氷機ユニットの取り付け方法を示す下面図。
【図１４】実施形態の冷凍室棚に取り付けられた製氷機ユニットを斜め下方から見た斜視図。
【図１５】図１４中に示された冷凍室棚および製氷機ユニットのＦ１５−Ｆ１５線に沿う断面図。
【図１６】図１５中に示された冷凍室棚および製氷機ユニットのＦ１６線で囲まれた領域を拡大して示す断面図。
【図１７】図１５中に示された冷凍室棚および製氷機ユニットのＦ１７線で囲まれた領域を拡大して示す断面図。
【図１８】実施形態の冷凍室棚に取り付けられた製氷機ユニットを示す断面図。
【図１９】実施形態の冷凍室棚に取り付けられた製氷機ユニットを示す断面図。
【図２０】実施形態の変形例の冷蔵庫を示す断面図。
【発明を実施するための形態】
【０００７】
以下、実施形態の冷蔵庫を、図面を参照して説明する。以下の説明では、同一または類似の機能を有する構成に同一の符号を付す。そして、それら構成の重複する説明は省略する場合がある。本明細書では、冷蔵庫から見て冷蔵庫の正面に立つユーザに近い側を「前」、遠い側を「後ろ」と定義している。また、冷蔵庫の正面に立つユーザから冷蔵庫を見た方向を基準に、左右を定義している。本明細書において「奥行方向」とは、上記定義における前後方向を意味する。本明細書において「横幅方向」とは、上記定義における左右方向を意味する。また本明細書において、上下／前後／左右は、冷蔵庫の使用状態（冷凍室棚および製氷機ユニットが冷凍室内に配置された状態）を基準とした方向を意味する。
【０００８】
本明細書において「取り付ける」および「係合する」とは、複数の部材が固定部材により固定される場合や、嵌合する場合に限定されず、例えば複数の部材が互いに接して特定方向の動きが規制されるだけの場合も含む。また、「取付部」および「係合部」との名称は、説明の便宜のためのものであり、それら部材の形状や機能を限定するものではない。同様に、「取付部」と「受け部」、「係合部」と「係合受け部」との名称は、説明の便宜のためのものであり、どちらか主で、どちらか従かを意味するものではない。
【０００９】
本明細書において「面する」とは、ある部材の少なくとも一部が別の部材に面する場合も含む。また「面する」とは、板状の部材の主面がある方向に向くことに限定されず、特定方向から見た場合に複数の部材の投影面の少なくとも一部同士が重なることを意味する。また「面する」とは、複数の部材が互いに直接に向かい合う場合に限定されず、それら複数の部材の間に別の部材が存在する場合も含む。「挿入される」とは、ある部材の少なくとも一部が挿入される場合も含む。「掛かる」とは、通常時には複数の部材の間に隙間が存在するが、少なくとも一方の部材の位置ずれが生じたときに複数の部材が互いに接する場合も含む。同様に、「規制する」とは、通常時には複数の部材の間に隙間が存在するが、少なくとも一方の部材の位置ずれが生じたときに複数の部材が互いに接して特定方向の移動が規制される場合も含む。「前後方向の位置を規制する」とは、前側への移動と、後側への移動とのうちいずれか一方のみが規制される場合も含む。「上下方向の位置を規制する」とは、上側への移動と、下側への移動とのうちいずれか一方のみが規制される場合も含む。
【００１０】
（実施形態）
＜１．冷蔵庫の全体構成＞
図１から図１９を参照して、ひとつの実施形態について説明する。なお一部の図面は、説明の便宜上、簡略化して模式的に示している。
【００１１】
図１は、冷蔵庫１の内部を示す斜視図である。冷蔵庫１は、例えば、筐体１００、複数の扉２００（図４に１つのみ図示）、複数の冷蔵室棚３００、１つの冷凍室棚４００、および製氷機ユニット５００を備えている。なお、冷蔵庫１は、上記構成に加えて、一般的な冷蔵庫が有する構成、例えば、冷凍サイクルを実現するための圧縮機や冷却器、凝縮器などを備えている。
【００１２】
筐体１００は、例えば、外箱と、内箱と、外箱と内箱との間に充填された断熱材とを有し、断熱性を持つ。断熱材は、例えば、発泡ウレタンのような発泡断熱材である。筐体１００の内部には、それぞれ貯蔵室として、冷蔵室１１０と、冷凍室１２０とが設けられている。本実施形態では、冷蔵室１１０は、筐体１００内の下部に配置されている。一方で、冷凍室１２０は、筐体１００内の上部に配置されている。ただし、貯蔵室の配置は、上記例に限定されない。
【００１３】
冷蔵室１１０と冷凍室１２０との間には、断熱性の仕切り壁１３０が設けられている。仕切り壁１３０は、冷凍室１２０の底部１２１を形成している。また、冷蔵室１１０および冷凍室１２０の前面側は、冷蔵室１１０および冷凍室１２０に対して食材の出し入れを可能にする開口を有する。冷蔵室１１０および冷凍室１２０の開口は、複数の扉２００によって開閉可能に閉じられる。
【００１４】
複数の冷蔵室棚３００は、冷蔵室１１０に配置されている。一方で、冷凍室棚４００は、冷凍室１２０に配置されている。冷蔵室棚３００および冷凍室棚４００は、例えば食材が載せられる棚である。ただし、冷蔵室棚３００および冷凍室棚４００の数は、上記例に限定されない。なお、冷凍室棚４００については詳しく後述する。
【００１５】
製氷機ユニット５００は、冷凍室１２０に配置されている。製氷機ユニット５００は、氷を製造し、製造した氷が貯蔵される装置である。製氷機ユニット５００は、冷凍室棚４００の下方に配置されている。本実施形態では、製氷機ユニット５００は、冷凍室棚４００に取り付けられ、冷凍室１２０の底部１２１から離れた状態で冷凍室棚４００に支持されている。製氷機ユニット５００は、「特別部材」の一例である。また、製氷機ユニット５００は、「特別ユニット」と称されてもよい。なお、製氷機ユニット５００については詳しく後述する。
【００１６】
＜２．冷凍室の構成＞
次に、冷凍室１２０の構成について説明する。
図２は、冷凍室１２０の内部を示す斜視図である。冷凍室１２０の左右の側部１２２，１２３は、一対の第１棚支持部１２４Ａ，１２４Ｂと、一対の第２棚支持部１２５Ａ，１２５Ｂとを有する。第１棚支持部１２４Ａ，１２４Ｂおよび第２棚支持部１２５Ａ，１２５Ｂは、それぞれ、例えばビードと呼ばれる支持部であり、冷凍室棚４００を下方から支持可能である。
【００１７】
詳しく述べると、一方の第１棚支持部１２４Ａは、冷凍室１２０の左側部１２２の一部として設けられ、冷凍室１２０の内部に突出するとともに、冷蔵庫１の奥行方向に直線状に延びている。他方の第１棚支持部１２４Ｂは、冷凍室１２０の右側部１２３の一部として設けられ、冷凍室１２０の内部に突出するとともに、冷蔵庫１の奥行方向に直線状に延びている。
【００１８】
図３は、冷凍室１２０の内部を示す正面図である。第１棚支持部１２４Ａ，１２４Ｂは、互いに略同じ高さに配置されている。第１棚支持部１２４Ａ，１２４Ｂの上には、冷凍室棚４００が載置可能である。第１棚支持部１２４Ａ，１２４Ｂは、第１棚支持部１２４Ａ，１２４Ｂの上に冷凍室棚４００が載置された場合、冷凍室棚４００の左右の端部を下方から支持する。なお、冷凍室棚４００は、冷凍室棚４００が第１棚支持部１２４Ａ，１２４Ｂの上に載置された場合に、第１棚支持部１２４Ａ，１２４Ｂの下面に掛かる部分を含む上下位置規制部４２０Ａ，４２０Ｂを有する。上下位置規制部４２０Ａ，４２０Ｂについては、後述する冷凍室棚４００の説明のなかで詳しく説明する。
【００１９】
第２棚支持部１２５Ａ，１２５Ｂは、第１棚支持部１２４Ａ，１２４Ｂよりも下方に配置されている。一方の第２棚支持部１２５Ａは、冷凍室１２０の左側部１２２の一部として設けられ、冷凍室１２０の内部に突出するとともに、冷蔵庫１の奥行方向に直線状に延びている。他方の第２棚支持部１２５Ｂは、冷凍室１２０の右側部１２３の一部として設けられ、冷凍室１２０の内部に突出するとともに、冷蔵庫１の奥行方向に直線状に延びている。第２棚支持部１２５Ａ，１２５Ｂは、互いに略同じ高さに配置されている。第２棚支持部１２５Ａ，１２５Ｂの上には、冷凍室棚４００が載置可能である。第２棚支持部１２５Ａ，１２５Ｂは、第２棚支持部１２５Ａ，１２５Ｂの上に載置された冷凍室棚４００の左右の端部を下方から支持する。
【００２０】
このような構成によれば、冷凍室棚４００は、所望の複数の高さに配置可能である。すなわち、冷凍室棚４００は、ユーザの好みによって、第１棚支持部１２４Ａ，１２４Ｂの上に載置されて使用されてもよく、第２棚支持部１２５Ａ，１２５Ｂの上に載置されて使用されてもよい。なお、冷蔵庫１は、第１棚支持部１２４Ａ，１２４Ｂおよび第２棚支持部１２５Ａ，１２５Ｂの両方を必ず有する必要はなく、第１棚支持部１２４Ａ，１２４Ｂまたは第２棚支持部１２５Ａ，１２５Ｂのいずれかのみを有してもよい。
【００２１】
図４は、図３中に示された冷凍室１２０のＦ４−Ｆ４線に沿う断面図である。第１棚支持部１２４Ａ，１２４Ｂの各々には、凹部１２６が設けられている。凹部１２６は、後述する冷凍室棚４００の前後位置規制部４３０Ａ，４３０Ｂが挿入される窪み部である。
【００２２】
凹部１２６は、第１棚支持部１２４Ａ，１２４Ｂの前後方向の途中に設けられている。本実施形態では、凹部１２６は、第１棚支持部１２４Ａ，１２４Ｂの前後方向の中心よりも後側に配置されている。別の観点で見ると、凹部１２６は、冷凍室１２０の前後方向の中心よりも後側に配置されている。これら構成によれば、例えば凹部１２６が第１棚支持部１２４Ａ，１２４Ｂの前後方向の中央部に設けられる場合と比べて、ユーザにとって凹部１２６が目につきにくく、冷蔵庫１の美観を向上させることができる。
【００２３】
第２棚支持部１２５Ａ，１２５Ｂは、第１棚支持部１２４Ａ，１２４Ｂと同様に、凹部１２６を有する（図２参照）。凹部１２６は、第２棚支持部１２５Ａ，１２５Ｂの前後方向の中心よりも後側に配置されている。
【００２４】
＜３．冷凍室棚の構成＞
＜３．１  冷凍室棚の全体構成＞
次に、冷凍室棚４００の構成について説明する。
図５は、冷凍室棚４００を斜め上方から見た斜視図である。冷凍室棚４００は、例えば、ガラス板４０１と、ガラス板４０１の周縁に沿う非ガラス製（例えば合成樹脂製）の枠部４０２とを有する。
【００２５】
ガラス板４０１は、例えば透明なガラス材で形成されているが、曇りガラスなど他の種類のガラスで形成されてもよい。冷凍室棚４００がガラス板４０１を含むと、冷蔵庫１の美観を向上させることができる場合がある。また、ガラス板４０１が透明であると、冷凍室棚４００の下方に配置される製氷機ユニット５００の製氷状態を、ガラス板４０１を通してガラス板４０１の上方からも確認することができ、ユーザの利便性が向上する。
【００２６】
以下、冷凍室棚４００の一例について詳しく説明する。
本実施形態では、ガラス板４０１は、長方形状に形成されている。一方で、枠部４０２は、ガラス板４０１の全周を囲う枠状に形成された枠本体部４１０を有する。枠本体部４１０は、前部４１０ａ、後部４１０ｂ、左側部４１０ｃ、および右側部４１０ｄを含む。前部４１０ａは、ガラス板４０１の前端に沿って冷蔵庫１の横幅方向に延びている。後部４１０ｂは、ガラス板４０１の後端に沿って冷蔵庫１の横幅方向に延びている。左側部４１０ｃは、ガラス板４０１の左端に沿って冷蔵庫１の奥行方向に延びている。右側部４１０ｄは、ガラス板４０１の右端に沿って冷蔵庫１の奥行方向に延びている。これら前部４１０ａ、後部４１０ｂ、左側部４１０ｃ、および右側部４１０ｄが互いに連結されることで枠本体部４１０が枠状に形成されている。
【００２７】
例えば、前部４１０ａ、後部４１０ｂ、左側部４１０ｃ、および右側部４１０ｄの各々は、冷蔵庫１の上下方向において、ガラス板４０１よりも厚く形成されている。例えば、前部４１０ａ、後部４１０ｂ、左側部４１０ｃ、および右側部４１０ｄは、それぞれの延伸方向の全長に亘って、ガラス板４０１の端部の上面および側面を覆っている。また、前部４１０ａ、後部４１０ｂ、左側部４１０ｃ、および右側部４１０ｄは、それぞれガラス板４０１の端部の下面の少なくとも一部を覆っている。例えば、枠部４０２は、ガラス板４０１とは別体として成形され、成形後にガラス板４０１に取り付けられている。ただし、枠部４０２は、インサート成形によりガラス板４０１と一体に成形されてもよい。
【００２８】
本実施形態では、枠部４０２により冷凍室棚４００の周縁部が形成されている。例えば、枠本体部４１０の前部４１０ａにより、冷凍室棚４００の前端部が形成されている。枠本体部４１０の後部４１０ｂにより、冷凍室棚４００の後端部が形成されている。枠本体部４１０の左側部４１０ｃにより、冷凍室棚４００の左端部が形成されている。枠本体部４１０の右側部４１０ｄにより、冷凍室棚４００の右端部が形成されている。
【００２９】
本実施形態では、枠本体部４１０は、例えば、上壁４１１と、周壁４１２と、支持壁４１３（図７参照）と、複数のリブ４１４（図７参照）とを含む。上壁４１１は、冷蔵庫１の上下方向でガラス板４０１の上面よりも上方に位置し、ガラス板４０１の端部に上方から面している。上壁４１１は、冷凍室棚４００の上面の一部を形成している。周壁４１２は、上壁４１１の周縁部から下方に折れ曲がって延びている。周壁４１２は、前部４１０ａに位置した前壁４１２ａ、後部４１０ｂに位置した後壁４１２ｂ、左側部４１０ｃに位置した左側壁４１２ｃ、および右側部４１０ｄに位置した右側壁４１２ｄを含む。支持壁４１３は、冷蔵庫１の上下方向でガラス板４０１の下面よりも下方に位置し、ガラス板４０１の端部を下方から支持している。複数のリブ４１４は、上壁４１１の下面に設けられ、枠本体部４１０を補強している。
【００３０】
図６は、冷凍室棚４００を示す平面図である。本実施形態では、枠部４０２の前部４１０ａの前後方向の幅Ｗ１は、枠部４０２の後部４１０ｂの前後方向の幅Ｗ２よりも大きい。これにより、ユーザが手を掛けやすい冷凍室棚４００の前端部が破損しにくい。
【００３１】
図７は、冷凍室棚４００を斜め下方から見た斜視図である。
本実施形態では、冷凍室棚４００の枠部４０２は、上述した枠本体部４１０に加えて、例えば、一対の上下位置規制部４２０Ａ，４２０Ｂ、一対の前後位置規制部４３０Ａ，４３０Ｂ、第１および第２の受け部４４０Ａ，４４０Ｂ、第１および第２の抜け抑制部４５０Ａ，４５０Ｂを有する。以下、これら構成について詳しく説明する。
【００３２】
＜３．２  上下位置規制部＞
まず、一対の上下位置規制部４２０Ａ，４２０Ｂについて説明する。
一方の上下位置規制部４２０Ａは、枠本体部４１０の左側部４１０ｃに設けられている。他方の上下位置規制部４２０Ｂは、枠本体部４１０の右側部４１０ｄに設けられている。上下位置規制部４２０Ａ，４２０Ｂの各々は、枠本体部４１０から下方に向けて突出した第１部分４２１と、第１部分４２１の下端部から冷蔵庫１の横幅方向の外側に向けて突出した第２部分４２２とを有する。
【００３３】
冷凍室棚４００が冷凍室１２０の第１棚支持部１２４Ａ，１２４Ｂの上に載置される場合、枠本体部４１０の左側部４１０ｃが第１棚支持部１２４Ａの上に載置され、枠本体部４１０の右側部４１０ｄが第１棚支持部１２４Ｂの上に載置される。このとき、上下位置規制部４２０Ａの第２部分４２２が第１棚支持部１２４Ａに下方から面するとともに、上下位置規制部４２０Ｂの第２部分４２２が第１棚支持部１２４Ｂに下方から面する（図３参照）。これにより、上下位置規制部４２０Ａ，４２０Ｂは、冷凍室棚４００の両側端部の上下位置を規制し、冷凍室棚４００が第１棚支持部１２４Ａ，１２４Ｂから外れにくくなる。なお、冷凍室棚４００が冷凍室１２０の第２棚支持部１２５Ａ，１２５Ｂの上に載置される場合も同様である。本実施形態では、上下位置規制部４２０Ａ，４２０Ｂの各々の前後方向の中心は、冷凍室棚４００の前後方向の中心よりも前側に配置されている。
【００３４】
＜３．３  前後位置規制部＞
次に、一対の前後位置規制部４３０Ａ，４３０Ｂについて説明する。
一方の前後位置規制部４３０Ａは、枠本体部４１０の左側部４１０ｃに設けられている。他方の前後位置規制部４３０Ｂは、枠本体部４１０の右側部４１０ｄに設けられている。前後位置規制部４３０Ａ，４３０Ｂの各々は、枠本体部４１０から下方に向けて突出した突起であり、冷凍室棚４００が第１棚支持部１２４Ａ，１２４Ｂ（または第２棚支持部１２５Ａ，１２５Ｂ）の上に載置された場合、第１棚支持部１２４Ａ，１２４Ｂ（または第２棚支持部１２５Ａ，１２５Ｂ）の凹部１２６に挿入される。前後位置規制部４３０Ａ，４３０Ｂが凹部１２６に挿入されると、前後位置規制部４３０Ａ，４３０Ｂが冷蔵庫１の前後方向で第１棚支持部１２４Ａ，１２４Ｂ（または第２棚支持部１２５Ａ，１２５Ｂ）に掛かり、冷凍室棚４００の前後位置が規制される。前後位置規制部４３０Ａは、「第１前後位置規制部」の一例である。
【００３５】
＜３．４  第１および第２の受け部＞
次に、第１および第２の受け部４４０Ａ，４４０Ｂについて説明する。
第１受け部４４０Ａは、後述する製氷機ユニット５００の第１取付部５２０Ａが着脱自在に取り付けられ、第１取付部５２０Ａを支持する部分である。一方で、第２受け部４４０Ｂは、後述する製氷機ユニット５００の第２取付部５２０Ｂが着脱自在に取り付けられ、第２取付部５２０Ｂを支持する部分である。
【００３６】
まず、第１および第２の受け部４４０Ａ，４４０Ｂの配置位置について説明する。本実施形態では、第１受け部４４０Ａは、枠本体部４１０の前部４１０ａに設けられている。すなわち、第１受け部４４０Ａは、冷凍室棚４００の周縁部のなかで冷凍室棚４００の前端部に配置されている。第１受け部４４０Ａの少なくとも一部は、ガラス板４０１の前端４０１ａよりも前側に位置する（図１５参照）。本実施形態では、第１受け部４４０Ａの全体は、ガラス板４０１の前端４０１ａよりも前側に位置する。別の観点で見ると、第１受け部４４０Ａは、上下位置規制部４２０Ａよりも前側に配置されている。第１受け部４４０Ａは、枠本体部４１０の前部４１０ａの下部に設けられている。
【００３７】
本実施形態では、第１受け部４４０Ａは、例えば、第１および第２の係合受け部４４０ａ，４４０ｂを含む。第１および第２の係合受け部４４０ａ，４４０ｂは、枠本体部４１０の前部４１０ａにおいて、冷蔵庫１の横幅方向で互いに離れて配置されている。第１および第２の係合受け部４４０ａ，４４０ｂは、後述する製氷機ユニット５００の第１取付部５２０Ａの第１および第２の係合部５２０ａ，５２０ｂがそれぞれ着脱自在に取り付けられる。なお、第１および第２の係合受け部４４０ａ，４４０ｂの形状については後述する。
【００３８】
一方で、第２受け部４４０Ｂは、枠本体部４１０の後部４１０ｂに設けられている。すなわち、第２受け部４４０Ｂは、冷凍室棚４００の周縁部のなかで冷凍室棚４００の後端部に配置されている。第２受け部４４０Ｂの少なくとも一部は、ガラス板４０１の後端４０１ｂよりも後側に位置する（図１５参照）。本実施形態では、第２受け部４４０Ｂの全体は、ガラス板４０１の後端４０１ｂよりも後側に位置する。別の観点で見ると、第２受け部４４０Ｂは、上下位置規制部４２０Ａよりも後側に配置されている。第２受け部４４０Ｂは、枠本体部４１０の後部４１０ｂの下部に設けられている。
【００３９】
本実施形態では、第２受け部４４０Ｂは、例えば、第３および第４の係合受け部４４０ｃ，４４０ｄを含む。第３および第４の係合受け部４４０ｃ，４４０ｄは、枠本体部４１０の後部４１０ｂにおいて、冷蔵庫１の横幅方向で互いに離れて配置されている。第３および第４の係合受け部４４０ｃ，４４０ｄは、後述する製氷機ユニット５００の第２取付部５２０Ｂの第３および第４の係合部５２０ｃ，５２０ｄがそれぞれ着脱自在に取り付けられる。なお、第３および第４の係合受け部４４０ｃ，４４０ｄの形状については後述する。
【００４０】
次に、第１から第４の係合受け部４４０ａ，４４０ｂ，４４０ｃ，４４０ｄの形状の一例について説明する。ここでは、第１係合受け部４４０ａを代表として説明する。第１係合受け部４４０ａは、枠本体部４１０の上壁４１１の下面に設けられている。本実施形態では、第１係合受け部４４０ａは、例えば左方が開放されたフックである。
【００４１】
詳しく述べると、第１係合受け部４４０ａは、第１部分４４１と、第２部分４４２とを含む。第１部分４４１は、枠本体部４１０の上壁４１１の下面から下方に突出している。第１部分４４１は、鉛直方向および冷蔵庫１の前後方向に沿う板状に形成されている。第２部分４４２は、第１部分４４１の下端部から冷蔵庫１の横幅方向（例えば左方）に突出している。第２部分４４２は、水平方向に沿う板状に形成されている。第２部分４４２と、枠本体部４１０の上壁４１１の下面との間には、後述する製氷機ユニット５００の第１取付部５２０Ａの第１係合部５２０ａが挿入される隙間（空間部Ｓ）が形成されている。言い換えると、第１係合受け部４４０ａは、第１係合部５２０ａが挿入される空間部Ｓと、空間部Ｓに挿入された第１係合部５２０ａを下方から支持する第２部分（支持部）４４２とを有する。
【００４２】
本実施形態では、第１係合受け部４４０ａの少なくとも一部は、冷蔵庫１の上下方向において、ガラス板４０１の下面よりも上方に位置する（図１６参照）。言い換えると、製氷機ユニット５００の第１係合部５２０ａが挿入される空間部Ｓの少なくとも一部は、ガラス板４０１の下面よりも上方に位置する。別の観点で見ると、第１係合受け部４４０ａの少なくとも一部（例えば、空間部Ｓの少なくとも一部）は、冷蔵庫１の上下方向において、ガラス板４０１と同じ高さ位置に存在する。
【００４３】
第２から第４の係合受け部４４０ｂ，４４０ｃ，４４０ｄは、第１係合受け部４４０ａと同様の構成を有する。すなわち、第２から第４の係合受け部４４０ｂ，４４０ｃ，４４０ｄの各々は、第１部分４４１と、第２部分４４２とを有し、左方が開放されたフックである。第２から第４の係合受け部４４０ｂ，４４０ｃ，４４０ｄの各々の説明は、上述した第１係合受け部４４０ａの説明において、「第１係合部５２０ａ」を「第２係合部５２０ｂ」、「第３係合部５２０ｃ」、または「第４係合部５２０ｄ」と読み替え、「第１取付部５２０Ａ」を必要に応じて「第２取付部５２０Ｂ」と読み替えればよい。
【００４４】
図８は、冷凍室棚４００を示す下面図である。
本実施形態では、第１係合受け部４４０ａは、第１および第２の係合受け部４４０ａ，４４０ｂに対する第１および第２の係合部５２０ａ，５２０ｂの取り付け方向（後述するスライド方向ＳＤ）において、第２係合受け部４４０ｂよりも、スライド方向ＳＤの進行先側に位置する。そして、第１係合受け部４４０ａのスライド方向ＳＤの長さ（例えば、第１係合受け部４４０ａの第２部分４４２の長さ）Ｌ１は、第２係合受け部４４０ｂのスライド方向ＳＤの長さ（例えば、第２係合受け部４４０ｂの第２部分４４２の長さ）Ｌ２よりも大きい。
【００４５】
同様に、第３係合受け部４４０ｃは、第３および第４の係合受け部４４０ｃ，４４０ｄに対する第３および第４の係合部５２０ｃ，５２０ｄの取り付け方向（後述するスライド方向ＳＤ）において、第４係合受け部４４０ｄよりも、スライド方向ＳＤの進行先側に位置する。そして、第３係合受け部４４０ｃのスライド方向ＳＤの長さ（例えば、第３係合受け部４４０ｃの第２部分４４２の長さ）Ｌ３は、第４係合受け部４４０ｄのスライド方向ＳＤの長さ（例えば、第４係合受け部４４０ｄの第２部分４４２の長さ）Ｌ４よりも大きい。
【００４６】
本実施形態では、上述したように、枠本体部４１０の前部４１０ａの前後方向の幅Ｗ１は、枠本体部４１０の後部４１０ｂの前後方向の幅Ｗ２よりも大きい。本実施形態では、第１および第２の係合受け部４４０ａ，４４０ｂの各々の前後方向の幅Ｗ３は、第３および第４の係合受け部４４０ｃ，４４０ｄの各々の前後方向の幅Ｗ４よりも大きい。
【００４７】
また、第１および第２の係合受け部４４０ａ，４４０ｂの各々と、枠本体部４１０の前壁４１２ａとの間には、第１隙間Ｓ１が設けられている。同様に、第３および第４の係合受け部４４０ｃ，４４０ｄの各々と、枠本体部４１０の後壁４１２ｂとの間には、第２隙間Ｓ２が設けられている。本実施形態では、第１隙間Ｓ１の前後方向の幅Ｗ５と、第２隙間Ｓ２の前後方向の幅Ｗ６とは、互いに略同じである。
【００４８】
＜３．５  第１および第２の抜け抑制部＞
次に、第１および第２の抜け抑制部４５０Ａ，４５０Ｂについて説明する。
第１および第２の抜け抑制部４５０Ａ，４５０Ｂの各々は、冷凍室棚４００に取り付けられた製氷機ユニット５００が冷凍室棚４００から外れることを抑制するストッパである。第１および第２の抜け抑制部４５０Ａ，４５０Ｂは、枠本体部４１０の左側部４１０ｃに設けられている。
【００４９】
例えば、第１抜け抑制部４５０Ａは、冷蔵庫１の前後方向において、後述する製氷機ユニット５００の中心よりも前側に配置されている。本実施形態では、第１抜け抑制部４５０Ａは、冷凍室棚４００の上下位置規制部４２０Ａよりも前側に配置されている。
【００５０】
一方で、第第２抜け抑制部４５０Ｂは、冷蔵庫１の前後方向において、製氷機ユニット５００の中心よりも後側に配置されている。本実施形態では、第２抜け抑制部４５０Ｂは、冷凍室棚４００の上下位置規制部４２０Ａよりも後側に配置されている。すなわち、第２抜け抑制部４５０Ｂは、冷蔵庫１の前後方向で、上下位置規制部４２０Ａに対して第１抜け抑制部４５０Ａとは反対側に配置されている。
【００５１】
また、第１および第２の抜け抑制部４５０Ａ，４５０Ｂは、冷凍室棚４００に設けられた前後位置規制部４３０Ａよりも前側に配置されている。第２抜け抑制部４５０Ｂは、上下位置規制部４２０Ａと、前後位置規制部４３０Ａとの間に配置されている。
【００５２】
第１および第２の抜け抑制部４５０Ａ，４５０Ｂの各々と、枠本体部４１０の左側部４１０ｃの他の部分との間には、切れ込みｃが設けられている。これにより、第１および第２の抜け抑制部４５０Ａ，４５０Ｂの各々は、枠本体部４１０の左側部４１０ｃに対して上下方向に弾性変形可能である。
【００５３】
図９は、第１抜け抑制部４５０Ａを拡大して示す斜視図である。
第１および第２の抜け抑制部４５０Ａ，４５０Ｂの各々は、第１および第２の取付部５２０Ａ，５２０Ｂの係合部５２０ａ，５２０ｂ，５２０ｃ，５２０ｄが第１および第２の受け部４４０Ａ，４４０Ｂの係合受け部４４０ａ，４４０ｂ，４４０ｃ，４４０ｄの空間部Ｓから抜ける第１方向（脱落方向）とは反対の第２方向から製氷機ユニット５００に面する。これにより、第１方向に移動しようとする製氷機ユニット５００は、第１および第２の抜け抑制部４５０Ａ，４５０Ｂに当接し、第１方向の移動が規制される。なお、「第２方向」は、後述するスライド方向ＳＤと同じ方向である。
【００５４】
図１０は、第１抜け抑制部４５０Ａの弾性変形を示す断面図である。第１抜け抑制部４５０Ａは、前記製氷機ユニット５００が前記第１方向に移動した場合に製氷機ユニット５００と当接する第１位置（図１０中の（ａ）参照）と、製氷機ユニット５００が前記第１方向に移動した場合に前記製氷機ユニットが第１抜け抑制部４５０Ａを超えて移動することを許容する第２位置（図１０中の（ｂ）参照）との間で弾性変形可能である。これは、第２抜け抑制部４５０Ｂについても同様である。ユーザは、第１および第２の抜け抑制部４５０Ａ，４５０Ｂを押して上記第２位置まで弾性変形させることで、製氷機ユニット５００の取り外しが可能になる。これにより、例えば清掃時などにユーザが製氷機ユニット５００を容易に取り外すことができる。
【００５５】
＜４．製氷機ユニットの構成＞
＜４．１  冷凍室棚の全体構成＞
次に、製氷機ユニット５００の構成について説明する。
図１１は、製氷機ユニット５００を分解して示す斜視図である。本実施形態の製氷機ユニット５００は、製造された氷をユーザが手動で貯蔵容器５０１に移す手動タイプの製氷機ユニットである。ただし、製氷機ユニット５００は、上記例に限定されず、製造された氷が自動的に貯蔵容器５０１に移される自動タイプの製氷機ユニットでもよい。
【００５６】
本実施形態では、製氷機ユニット５００は、例えば、貯蔵容器（製氷機ボックス）５０１、複数の製氷機トレイ５０２、製氷機トレイ固定具５０３、複数のばね部材５０４、および製氷機ホルダ５０５を有する。
【００５７】
貯蔵容器５０１は、上方が開放された箱状に形成されている。貯蔵容器５０１には、製氷機ユニット５００により製造された氷が貯蔵される。
【００５８】
複数の製氷機トレイ５０２は、貯蔵容器５０１の上方に配置されている。複数の製氷機トレイ５０２は、冷蔵庫１の横幅方向に並べて配置されている。各製氷機トレイ５０２は、氷が製造されるトレイ本体５０２ａと、トレイ本体５０２ａから前後に突出した回転軸５０２ｂと、製氷機トレイ５０２の前端部に設けられた取っ手５０２ｃとを有する。
【００５９】
製氷機トレイ固定具５０３は、貯蔵容器５０１と複数の製氷機トレイ５０２との間に配置されている。例えば、製氷機トレイ固定具５０３は、貯蔵容器５０１の上端部に取り付けられ、貯蔵容器５０１により支持されている。製氷機トレイ固定具５０３は、製氷機トレイ５０２の回転軸５０２ｂを回転自在に支持する軸受部５０３ａを有する。製氷機トレイ５０２は、軸受部５０３ａに回転軸５０２ｂが支持されることで、製氷機トレイ固定具５０３により支持されている。製氷機トレイ５０２は、回転軸５０２ｂが軸受部５０３ａに支持された状態で、ユーザによって取っ手５０２ｃが回されることで回転して捩じられる。この動作が行われることで、製氷機トレイ５０２で製造された氷が製氷機トレイ５０２から貯蔵容器５０１に落下する。
【００６０】
ばね部材５０４の一端は、製氷機トレイ固定具５０３に固定されている。ばね部材５０４の他端は、製氷機トレイ５０２に固定されている。ばね部材５０４は、製氷機トレイ５０２が回転された場合、製氷機トレイ５０２を元の位置（元の姿勢）に復帰させる方向に付勢力を作用させる。これにより、ユーザが取っ手５０２ｃから手を離すと、製氷機トレイ５０２が元の位置（元の姿勢）に復帰する。
【００６１】
製氷機ホルダ５０５は、冷凍室棚４００に取り付けられ、製氷機ユニット５００を冷凍室棚４００に支持させる部材である。製氷機ホルダ５０５は、例えば、ホルダ本体５１０と、第１および第２の取付部５２０Ａ，５２０Ｂとを有する。以下、これら構成について詳しく説明する。
【００６２】
＜４．２  ホルダ本体＞
ホルダ本体５１０は、例えば、上壁５１１、左側壁５１２、右側壁５１３、第１張出部５１４、および第２張出部５１５を有する。
【００６３】
上壁５１１は、水平方向に沿う板状に形成されている。上壁５１１は、比較的大きな複数の開口５１１ａを有する。複数の開口５１１ａは、製氷機トレイ５０２の上方に位置する。これにより、冷凍室棚４００が透明なガラス板４０１を含む場合、製氷機トレイ５０２での製氷状態が、透明なガラス板４０１およびホルダ本体５１０の開口５１１ａを通じて、冷凍室棚４００の上方から確認可能になる。
【００６４】
左側壁５１２は、上壁５１１の左端部から下方に延びている。右側壁５１３は、上壁５１１の右端部から下方に延びている。左右の側壁５１２，５１３の各々は、鉛直方向および冷蔵庫１の奥行方向に沿う板状に形成されている。貯蔵容器５０１、複数の製氷機トレイ５０２、および製氷機トレイ固定具５０３は、左右の側壁５１２，５１３の間に配置されている。左右の側壁５１２，５１３の各々の内面には、貯蔵容器５０１を支持するレール５１６が設けられている。貯蔵容器５０１は、レール５１６によって下方から支持されるとともに、レール５１６に案内されて冷蔵庫１の前方に向けて引き出し可能である。
【００６５】
第１張出部５１４は、上壁５１１の前端部から冷蔵庫１の前側に張り出している。例えば、第１張出部５１４は、貯蔵容器５０１の前端、製氷機トレイ５０２の前端（例えば取っ手５０２ｃの前端）、および製氷機トレイ固定具５０３の前端よりも前側に張り出している。
【００６６】
第１張出部５１４は、例えば、水平壁５１４ａと、前壁５１４ｂとを有する。水平壁５１４ａは、ホルダ本体５１０の上壁５１１も低い位置に存在し、水平方向に沿う板状に形成されている。水平壁５１４ａは、冷蔵庫１の横幅方向において、ホルダ本体５１０の略全幅に亘る。
【００６７】
前壁５１４ｂは、水平壁５１４ａの前端部から上方に向けて起立したリブである。前壁５１４ｂは、鉛直方向および冷蔵庫１の横幅方向に沿う板状に形成されている。前壁５１４ｂは、冷蔵庫１の横幅方向において、ホルダ本体５１０の略全幅に亘る。例えば、前壁５１４ｂは、ホルダ本体５１０の上壁５１１よりも上方まで（例えば、上壁５１１の上面よりも上方まで）延びている（図１６参照）。すなわち、前壁５１４ｂの上端部は、ホルダ本体５１０の上壁５１１よりも上方に位置する。
【００６８】
第２張出部５１５は、上壁５１１の後端部から冷蔵庫１の後側に張り出している。例えば、第２張出部５１５は、貯蔵容器５０１の後端、製氷機トレイ５０２の後端、および製氷機トレイ固定具５０３の後端よりも後側に張り出している。
【００６９】
第２張出部５１５は、例えば、水平壁５１５ａと、後壁５１５ｂとを有する。水平壁５１５ａは、ホルダ本体５１０の上壁５１１よりも低い位置に存在し、水平方向に沿う板状に形成されている。水平壁５１５ａは、冷蔵庫１の横幅方向において、ホルダ本体５１０の略全幅に亘る。
【００７０】
後壁５１５ｂは、水平壁５１５ａの後端部から上方に向けて起立したリブである。後壁５１５ｂは、鉛直方向および冷蔵庫１の横幅方向に沿う板状に形成されている。後壁５１５ｂは、冷蔵庫１の横幅方向において、ホルダ本体５１０の略全幅に亘る。例えば、後壁５１５ｂは、ホルダ本体５１０の上壁５１１よりも上方まで（例えば、上壁５１１の上面よりも上方まで）延びている（図１７参照）。すなわち、後壁５１５ｂの上端部は、ホルダ本体５１０の上壁５１１よりも上方に位置する。
【００７１】
＜４．３  第１および第２の取付部＞
次に、第１および第２の取付部５２０Ａ，５２０Ｂについて説明する。
第１取付部５２０Ａは、冷凍室棚４００の第１受け部４４０Ａに着脱自在に取り付けられ（すなわち、冷凍室棚４００の前端部の下部に着脱自在に取り付けられ）、冷凍室棚４００によって支持される。一方で、第２取付部５２０Ｂは、冷凍室棚４００の第２受け部４４０Ｂに着脱自在に取り付けられ（すなわち、冷凍室棚４００の後端部の下部に着脱自在に取り付けられ）、冷凍室棚４００によって支持される。
【００７２】
まず、第１および第２の取付部５２０Ａ，５２０Ｂの配置位置について説明する。本実施形態では、第１取付部５２０Ａは、ホルダ本体５１０の第１張出部５１４に設けられている。すなわち、第１取付部５２０Ａおよび第１受け部４４０Ａの各々の少なくとも一部は、貯蔵容器５０１の前端、製氷機トレイ５０２の前端（例えば取っ手５０２ｃの前端）、および製氷機トレイ固定具５０３の前端よりも前側に配置されている。本実施形態では、第１取付部５２０Ａおよび第１受け部４４０Ａの各々の全体は、貯蔵容器５０１の前端、および製氷機トレイ固定具５０３の前端よりも前側に配置されている。また、第１取付部５２０Ａの全体は、製氷機トレイ５０２の前端（例えば取っ手５０２ｃの前端）よりも前側に配置されている。
【００７３】
本実施形態では、第１取付部５２０Ａは、例えば、第１および第２の係合部５２０ａ，５２０ｂを含む。第１および第２の係合部５２０ａ，５２０ｂは、第１張出部５１４において、冷蔵庫１の横幅方向で互いに離れて配置されている。第１および第２の係合部５２０ａ，５２０ｂは、冷凍室棚４００の第１受け部４４０Ａの第１および第２の係合受け部４４０ａ，４４０ｂにそれぞれ着脱自在に取り付けられる。なお、第１および第２の係合部５２０ａ，５２０ｂの形状については後述する。
【００７４】
一方で、第２取付部５２０Ｂは、ホルダ本体５１０の第２張出部５１５に設けられている。すなわち、第２取付部５２０Ｂおよび第２受け部４４０Ｂの各々の少なくとも一部は、貯蔵容器５０１の後端、製氷機トレイ５０２の後端、および製氷機トレイ固定具５０３の後端よりも後側に配置されている。本実施形態では、第２取付部５２０Ｂの全体は、貯蔵容器５０１の後端、製氷機トレイ５０２の後端、および製氷機トレイ固定具５０３の後端よりも後側に配置されている。
【００７５】
本実施形態では、第２取付部５２０Ｂは、例えば、第３および第４の係合部５２０ｃ，５２０ｄを含む。第３および第４の係合部５２０ｃ，５２０ｄは、第２張出部５１５において、冷蔵庫１の横幅方向で互いに離れて配置されている。第３および第４の係合部５２０ｃ，５２０ｄは、冷凍室棚４００の第２受け部４４０Ｂの第３および第４の係合受け部４４０ｃ，４４０ｄにそれぞれ着脱自在に取り付けられる。なお、第３および第４の係合部５２０ｃ，５２０ｄの形状については後述する。
【００７６】
次に、第１から第４の係合部５２０ａ，５２０ｂ，５２０ｃ，５２０ｄの形状の一例について説明する。ここでは、第１係合部５２０ａを代表として説明する。本実施形態では、第１係合部５２０ａは、例えば右方が開放されたフックである。第１係合部５２０ａは、第１張出部５１４の水平壁５１４ａの上面に設けられている。第１係合部５２０ａは、第１張出部５１４の前壁５１４ｂに接続され、前壁５１４ｂによって補強されている。
【００７７】
詳しく述べると、第１係合部５２０ａは、第１部分５２１と、第２部分５２２とを含む。第１部分５２１は、第１張出部５１４の水平壁５１４ａの上面から上方に突出している。第１部分５２１は、鉛直方向および冷蔵庫１の前後方向に沿う板状に形成されている。第２部分５２２は、第１部分５２１の上端部から冷蔵庫１の横幅方向（例えば右方）に突出している。第２部分５２２は、水平方向に沿う板状に形成されている。第２部分５２２は、製氷機ユニット５００が冷凍室棚４００に取り付けられる場合、第１係合受け部４４０ａの空間部Ｓに挿入され、第１係合受け部４４０ａの第２部分４４２によって下方から支持される。これにより、製氷機ユニット５００が冷凍室棚４００に支持される。
【００７８】
本実施形態では、第１係合部５２０ａの少なくとも一部は、製氷機ユニット５００が冷凍室棚４００に取り付けられた状態で、冷蔵庫１の上下方向において、ガラス板４０１の下面よりも上方に位置する（図１６参照）。別の観点で見ると、第１係合部５２０ａの少なくとも一部は、冷蔵庫１の上下方向において、ガラス板４０１と同じ高さ位置に存在する。
【００７９】
第２から第４の係合部５２０ｂ，５２０ｃ，５２０ｄは、第１係合部５２０ａと同様の構成を有する。すなわち、第２から第４の係合部５２０ｂ，５２０ｃ，５２０ｄの各々は、第１部分５２１と、第２部分５２２とを有し、右方が開放されたフックである。第２から第４の係合部５２０ｂ，５２０ｃ，５２０ｄの各々の説明は、上述した第１係合部５２０ａの説明において、「第１係合受け部４４０ａ」を「第２係合受け部４４０ｂ」、「第３係合受け部４４０ｃ」、または「第４係合受け部４４０ｄ」と読み替え、「第１受け部４４０Ａ」を必要に応じて「第２受け部４４０Ｂ」と読み替え、「第１張出部５１４」を必要に応じて「第２張出部５１５」と読み替え、「水平壁５１４ａ」を必要に応じて「水平壁５１５ａ」と読み替え、「前壁５１４ｂ」を必要に応じて「後壁５１５ｂ」と読み替えればよい。
【００８０】
本実施形態では、第１係合部５２０ａは、第１および第２の係合受け部４４０ａ，４４０ｂに対する第１および第２の係合部５２０ａ，５２０ｂの取り付け方向（後述するスライド方向ＳＤ）において、第２係合部５２０ｂよりも、スライド方向ＳＤの進行先側に位置する。そして、第１係合部５２０ａのスライド方向ＳＤの長さ（例えば、第１係合部５２０ａの第２部分５２２のスライド方向ＳＤの長さ）Ｌ５は、第２係合部５２０ｂのスライド方向ＳＤの長さ（例えば、第２係合部５２０ｂの第２部分５２２のスライド方向ＳＤの長さ）Ｌ６よりも大きい。
【００８１】
同様に、第３係合部５２０ｃは、第３および第４の係合受け部４４０ｃ，４４０ｄに対する第３および第４の係合部５２０ｃ，５２０ｄの取り付け方向（後述するスライド方向ＳＤ）において、第４係合部５２０ｄよりも、スライド方向ＳＤの進行先側に位置する。そして、第３係合部５２０ｃのスライド方向ＳＤの長さ（例えば、第３係合部５２０ｃの第２部分５２２のスライド方向ＳＤの長さ）Ｌ７は、第４係合部５２０ｄのスライド方向ＳＤの長さ（例えば、第４係合部５２０ｄの第２部分５２２のスライド方向ＳＤの長さ）Ｌ８よりも大きい。
【００８２】
＜５．冷凍室棚に対する製氷機ユニットの取り付け＞
次に、冷凍室棚４００に対する製氷機ユニット５００の取り付けについて説明する。
図１２は、製氷機ユニット５００の取り付け方法を示す断面図である。図１２中の（ａ）は、取り付け前の状態を示す。図１２中の（ｂ）は、取り付け後の状態を示す。ここで、冷凍室棚４００に対する製氷機ユニット５００の取り付けは、冷凍室棚４００を冷凍室１２０に配置する前に、冷蔵庫１の筐体１００の外部で行われる。
【００８３】
本実施形態では、製氷機ユニット５００の第１および第２の取付部５２０Ａ，５２０Ｂは、冷凍室棚４００に対して所定のスライド方向ＳＤ（本実施形態では右方向）にスライド移動されることで、冷凍室棚４００の第１および第２の受け部４４０Ａ，４４０Ｂに取り付けられる。本実施形態では、製氷機ユニット５００の第１から第４の係合部５２０ａ，５２０ｂ，５２０ｃ，５２０ｄがスライド方向ＳＤにスライド移動されることで、第１から第４の係合部５２０ａ，５２０ｂ，５２０ｃ，５２０ｄの第２部分５２２が、第１から第４の係合受け部４４０ａ，４４０ｂ，４４０ｃ，４４０ｄの空間部Ｓに挿入されて、第１から第４の係合受け部４４０ａ，４４０ｂ，４４０ｃ，４４０ｄの第２部分４４２によって下方から支持されることで、冷凍室棚４００に取り付けられる。
【００８４】
ところで、製氷機ユニット５００は、取り付け作業性の観点から、スライド方向ＳＤの進行先側と比べて、スライド方向ＳＤの進行後側を冷凍室棚４００から少し離した斜めの姿勢でスライド移動させて冷凍室棚４００の取り付けられることが考えられる。上述したように、本実施形態では、第１係合部５２０ａのスライド方向ＳＤの長さＬ１は、第２係合部５２０ｂのスライド方向ＳＤの長さＬ２よりも大きい。この場合、第２係合部５２０ｂと第２係合受け部４４０ｂとが接触する前に、第１係合部５２０ａと第１係合受け部４４０ａとが接触するため、ユーザは、先に接触した第１係合部５２０ａと第１係合受け部４４０ａとをガイド（支持点）として製氷機ユニット５００の姿勢を調整しながら第２係合部５２０ｂを第２係合受け部４４０ｂに取り付けることができる。これにより、製氷機ユニット５００をより容易に、且つ、より安定して取り付けることができる。
【００８５】
また、ユーザにとって、スライド方向ＳＤの進行先側に位置する第１係合部５２０ａと第１係合受け部４４０ａとの接触状態は、スライド方向ＳＤの進行後側に位置する第２係合部５２０ｂと第２係合受け部４４０ｂとの接触状態よりも観察しやすい（図１２中の矢印Ａ１，Ａ２を参照）。このため、ユーザは、第１係合受け部４４０ａに対する第１係合部５２０ａの取り付けを、第１係合受け部４４０ａと第１係合部５２０ａの位置や状態を確認しながら行うことができる。これにより、製氷機ユニット５００をさらに容易に、且つ、さらに安定して取り付けることができる。以上説明した第１および第２の係合部５２０ａ，５２０ｂと第１および第２の係合受け部４４０ａ，４４０ｂとの関係は、第３および第４の係合部５２０ｃ，５２０ｄと第３および第４の係合受け部４４０ｃ，４４０ｄとの関係についても同様である。
【００８６】
図１３は、製氷機ユニット５００の取り付け方法を示す下面図である。図１３中の（ａ）は、取り付け前の状態を示す。図１３中の（ｂ）は、取り付け後の状態を示す。製氷機ユニット５００の取り付け方法の一例についてより詳しく述べると、製氷機ユニット５００の取り付けでは、まず、製氷機ユニット５００のホルダ本体５１０の前壁５１４ｂが、冷凍室棚４００の前壁４１２ａと第１および第２の係合受け部４４０ａ，４４０ｂとの間の隙間Ｓ１（図８参照）に挿入されるとともに、製氷機ユニット５００のホルダ本体５１０の後壁５１５ｂが、冷凍室棚４００の後壁４１２ｂと第３および第４の係合受け部４４０ｃ，４４０ｄとの間の隙間Ｓ２（図８参照）に挿入される。
【００８７】
言い換えると、冷凍室棚４００の前壁４１２ａは、冷蔵庫１の前後方向で製氷機ユニット５００の第１取付部５２０Ａ（第１および第２の係合部５２０ａ，５２０ｂ）よりも前側に位置し、前方から製氷機ユニット５００の第１取付部５２０Ａに面する。これにより、冷凍室棚４００の前壁４１２ａは、製氷機ユニット５００の第１取付部５２０Ａの前後方向の位置を規制する（例えば、前側への移動を規制する）。冷凍室棚４００の前壁４１２ａは、「第２前後位置規制部」の一例である。
【００８８】
一方で、冷凍室棚４００の後壁４１２ｂは、冷蔵庫１の前後方向で製氷機ユニット５００の第２取付部５２０Ｂ（第３および第４の係合部５２０ｃ，５２０ｄ）よりも後側に位置し、後方から製氷機ユニット５００の第２取付部５２０Ｂに面する。これにより、冷凍室棚４００の後壁４１２ｂは、製氷機ユニット５００の第２取付部５２０Ｂの前後方向の位置を規制する（例えば、後側への移動を規制する）。
【００８９】
本実施形態では、上記のように冷凍室棚４００に対する製氷機ユニット５００の前後方向の位置が規制された状態で、製氷機ユニット５００は、冷凍室棚４００の前壁４１２ａと後壁４１２ｂとをガイドとして上記スライド方向ＳＤにスライド移動される。すなわち本実施形態では、冷凍室棚４００の前壁４１２ａおよび後壁４１２ｂの各々は、上記スライド方向ＳＤに沿って延びており、製氷機ユニット５００の第１および第２の取付部５２０Ａ，５２０Ｂのスライド方向ＳＤの移動を案内する。これにより、製氷機ユニット５００の第１および第２の取付部５２０Ａ，５２０Ｂは、冷凍室棚４００の第１および第２の受け部４４０Ａ，４４０Ｂに対してより安定して取り付けられる。冷凍室棚４００の前壁４１２ａは、「第１壁部」の一例である。
【００９０】
図１４は、冷凍室棚４００に取り付けられた製氷機ユニット５００を斜め下方から見た斜視図である。ここで、冷凍室棚４００に対する製氷機ユニット５００の取り付けの最終段階は、第１および第２の抜け抑制部４５０Ａ，４５０Ｂの上に置かれた製氷機ユニット５００によって第１および第２の抜け抑制部４５０Ａ，４５０Ｂが押圧され、第１および第２の抜け抑制部４５０Ａ，４５０Ｂが上記第２位置（図１０中の（ｂ）参照）に弾性変形した状態で行われる。冷凍室棚４００に対して製氷機ユニット５００が所定位置までスライド移動されて製氷機ユニット５００が第１および第２の抜け抑制部４５０Ａ，４５０Ｂの上方から外れることで、第１および第２の抜け抑制部４５０Ａ，４５０Ｂが弾性力により上記第１位置（図１０中の（ａ）参照）に復帰する。これにより、第１および第２の抜け抑制部４５０Ａ，４５０Ｂは、製氷機ユニット５００に面して、上記スライド方向ＳＤとは反対方向の製氷機ユニット５００の移動を規制する。これにより、製氷機ユニット５００の横幅方向の位置が定まる。
【００９１】
＜６．冷凍棚の周壁および製氷機ユニットのホルダ本体による目隠し構造＞
次に、冷凍室棚４００の周壁４１２および製氷機ユニット５００のホルダ本体５１０による目隠し構造について説明する。
【００９２】
図１５は、図１４中に示された冷凍室棚４００および製氷機ユニット５００のＦ１５−Ｆ１５線に沿う断面図である。図１６は、図１５中に示された冷凍室棚４００および製氷機ユニット５００のＦ１６線で囲まれた領域を拡大して示す断面図である。図１７は、図１５中に示された冷凍室棚４００および製氷機ユニット５００のＦ１７線で囲まれた領域を拡大して示す断面図である。
【００９３】
図１６に示すように、製氷機ユニット５００のホルダ本体５１０の前壁５１４ｂは、冷蔵庫１の前後方向で、冷凍室棚４００の第１受け部４４０Ａ（第１および第２の係合受け部４４０ａ，４４０ｂ）および製氷機ユニット５００の第１取付部５２０Ａ（第１および第２の係合部５２０ａ，５２０ｂ）の前側に配置されて冷蔵庫１の横幅方向に延びている。製氷機ユニット５００のホルダ本体５１０の前壁５１４ｂは、冷凍室棚４００および製氷機ユニット５００が冷凍室１２０内に配置された状態で、冷凍室棚４００の第１受け部４４０Ａ（第１および第２の係合受け部４４０ａ，４４０ｂ）の下端よりも上方まで延びている。これにより、第１受け部４４０Ａおよび第１取付部５２０Ａが外部から見えにくくなり、すっきりとした外観を実現することができる。前壁５１４ｂは、「第２壁部」の一例である。
【００９４】
また本実施形態では、冷凍室棚４００の前壁４１２ａは、冷凍室棚４００の第１受け部４４０Ａ（第１および第２の係合受け部４４０ａ，４４０ｂ）および製氷機ユニット５００の第１取付部５２０Ａ（第１および第２の係合部５２０ａ，５２０ｂ）の前側に配置されて冷蔵庫１の横幅方向に延びている。冷凍室棚４００の前壁４１２ａは、冷凍室棚４００および製氷機ユニット５００が冷凍室１２０内に配置された状態で、製氷機ユニット５００の第１取付部５２０Ａ（第１および第２の係合部５２０ａ，５２０ｂ）の上端よりも下方まで延びている。本実施形態では、冷凍室棚４００の前壁４１２ａは、冷凍室棚４００の第１受け部４４０Ａ（第１および第２の係合受け部４４０ａ，４４０ｂ）および製氷機ユニット５００の第１取付部５２０Ａ（第１および第２の係合部５２０ａ，５２０ｂ）を前方から遮蔽している。これにより、第１受け部４４０Ａおよび第１取付部５２０Ａが外部からさらに見えにくくなり、さらにすっきりとした外観を実現することができる。例えば、本実施形態では、冷凍室棚４００の前壁４１２ａと、製氷機ユニット５００のホルダ本体５１０の前壁５１４ｂとにより、冷凍室棚４００の第１受け部４４０Ａ（第１および第２の係合受け部４４０ａ，４４０ｂ）および製氷機ユニット５００の第１取付部５２０Ａ（第１および第２の係合部５２０ａ，５２０ｂ）を前方から完全に遮蔽する目隠し部Ｍが形成されている。これに代えて、冷凍室棚４００の前壁４１２ａのみによって、冷凍室棚４００の第１受け部４４０Ａ（第１および第２の係合受け部４４０ａ，４４０ｂ）および製氷機ユニット５００の第１取付部５２０Ａ（第１および第２の係合部５２０ａ，５２０ｂ）を前方から完全に遮蔽する目隠し部Ｍが形成されてもよい。
【００９５】
さらに本実施形態では、冷凍室棚４００の前壁４１２ａは、製氷機ユニット５００のホルダ本体５１０の前壁５１４ｂの前側に配置されている。冷凍室棚４００の前壁４１２ａは、冷凍室棚４００および製氷機ユニット５００が冷凍室１２０内に配置された状態で、製氷機ユニット５００のホルダ本体５１０の前壁５１４ｂの上端よりも下方まで延びている。これにより、第１受け部４４０Ａおよび第１取付部５２０Ａが外部からさらに見えにくくなり、さらにすっきりとした外観を実現することができる。
【００９６】
図１７に示すように、製氷機ユニット５００のホルダ本体５１０の後壁５１５ｂは、冷蔵庫１の前後方向で、冷凍室棚４００の第２受け部４４０Ｂ（第３および第４の係合受け部４４０ｃ，４４０ｄ）および製氷機ユニット５００の第２取付部５２０Ｂ（第３および第４の係合部５２０ｃ，５２０ｄ）よりも後側に配置されて冷蔵庫１の横幅方向に延びている。製氷機ユニット５００のホルダ本体５１０の後壁５１５ｂは、冷凍室棚４００および製氷機ユニット５００が冷凍室１２０内に配置された状態で、冷凍室棚４００の第２受け部４４０Ｂ（第３および第４の係合受け部４４０ｃ，４４０ｄ）の下端よりも上方まで延びている。これにより、第２受け部４４０Ｂおよび第２取付部５２０Ｂが外部から見えにくくなっている。
【００９７】
また本実施形態では、冷凍室棚４００の後壁４１２ｂは、冷凍室棚４００の第２受け部４４０Ｂ（第３および第４の係合受け部４４０ｃ，４４０ｄ）および製氷機ユニット５００の第２取付部５２０Ｂ（第３および第４の係合部５２０ｃ，５２０ｄ）の後側に配置されて冷蔵庫１の横幅方向に延びている。冷凍室棚４００の後壁４１２ｂは、冷凍室棚４００および製氷機ユニット５００が冷凍室１２０内に配置された状態で、製氷機ユニット５００の第２取付部５２０Ｂ（第３および第４の係合部５２０ｃ，５２０ｄ）の上端よりも下方まで延びている。これにより、第２受け部４４０Ｂおよび第２取付部５２０Ｂが外部からさらに見えにくくなっている。
【００９８】
さらに本実施形態では、冷凍室棚４００の後壁４１２ｂは、製氷機ユニット５００のホルダ本体５１０の前壁５１４ｂの後側に配置されている。冷凍室棚４００の後壁４１２ｂは、冷凍室棚４００および製氷機ユニット５００が冷凍室１２０内に配置された状態で、製氷機ユニット５００のホルダ本体５１０の後壁５１５ｂの上端よりも下方まで延びている。これにより、第２取付部５２０Ｂおよび第２受け部４４０Ｂが外部からさらに見えにくくなっている。
【００９９】
＜７．冷凍室の側部による抜け抑制構造＞
次に、冷凍室１２０の左側部１２２による抜け抑制構造について説明する。
図１８は、冷凍室棚４００に取り付けられた製氷機ユニット５００を示す断面図である。本実施形態では、製氷機ユニット５００は、冷凍室１２０のなかで冷蔵庫１の横幅方向で上記スライド方向ＳＤの進行先側とは反対側（本実施形態では左側）に偏って配置されている。すなわち、冷凍室棚４００の第１および第２の受け部４４０Ａ，４４０Ｂの位置は、製氷機ユニット５００が冷凍室１２０内で左側に偏って配置されるように設定されている。そして、冷凍室１２０の左側部１２２は、製氷機ユニット５００に対してスライド方向ＳＤとは反対方向（脱落方向）から面し、製氷機ユニット５００のスライド方向ＳＤとは反対方向の移動を規制している。
【０１００】
図１９は、冷凍室棚４００に取り付けられた製氷機ユニット５００を示す断面図であり、図１８と比べて製氷機ユニット５００が左方に位置ずれした状態を示している。本実施形態では、製氷機ユニット５００は、スライド方向ＳＤとは反対方向に位置ずれした場合、第１および第２の取付部５２０Ａ，５２０Ｂが第１および第２の受け部４４０Ａ，４４０Ｂから外れる前に、冷凍室１２０の左側部１２２に当接し、冷凍室１２０の左側部１２２によりそれ以上の脱落方向の移動が規制される。これにより、例えば第１および第２の抜け抑制部４５０Ａ，４５０Ｂの規制が万が一に外れて製氷機ユニット５００が脱落方向に位置ずれした場合でも、冷凍室棚４００から外れにくくなっている。
【０１０１】
例えば、本実施形態では、冷蔵庫１の輸送時には、冷凍室棚４００は、第１棚支持部１２４Ａ，１２４Ｂの上に載置される。そして、冷凍室１２０の左側部１２２の一部である第２棚支持部１２５Ａは、製氷機ユニット５００に対してスライド方向ＳＤとは反対方向から面し、製氷機ユニット５００のスライド方向ＳＤとは反対方向の移動を規制する。例えば、第２棚支持部１２５Ａは、製氷機ユニット５００のホルダ本体５１０の左側壁５１２の下端部に面し、左側壁５１２の下端部の位置を規制する。
【０１０２】
以上のような構成によれば、製氷機ユニット５００の輸送時の外れにくさの向上を図ることができる。すなわち本実施形態では、冷凍室棚４００の周縁部の下部に第１受け部４４０Ａが設けられ、製氷機ユニット５００は、第１受け部４４０Ａに取り付けられて冷凍室棚４００に支持される。このような構成によれば、例えば、製氷機ユニット５００の中心に対して比較的遠い位置に製氷機ユニット５００の支持構造があり、製氷機ユニット５００が安定して支持されやすい。このため、製氷機ユニット５００の輸送時の外れにくさの向上を図ることができる。その結果、冷蔵庫１の輸送時の梱包の簡素化を図ることができ、輸送コストを低下させることができる。
【０１０３】
本実施形態では、冷凍室棚４００は、ガラス板４０１と、ガラス板４０１の周縁に沿う非ガラス製の枠部４０２とを含む。そして、第１受け部４４０Ａは、枠部４０２に設けられている。このような構成によれば、ガラス板４０１を含む冷凍室棚４００に対しても比較的自由に製氷機ユニット５００を固定するための固定形状を設けることができる。また本実施形態では、第１受け部４４０Ａは、枠部４０２の下部に設けられている。このような構成によれば、例えば、冷凍室棚４００をくわえ込む（上下から挟み込む）ような固定形状を有した製氷機ユニット５００が設けられる場合と比べて、冷凍室棚４００を薄く見せることができる。これにより、冷蔵庫１の美観を向上させることができる。
【０１０４】
本実施形態では、第１受け部４４０Ａは、冷凍室棚４００の周縁部のなかで冷凍室棚４００の前端部に配置されている。第１受け部４４０Ａの少なくとも一部は、ガラス板４０１の前端４０１ａよりも前側に位置する。このような構成によれば、製氷機ユニット５００の中心に対してより遠い位置に製氷機ユニット５００の支持構造があり、製氷機ユニット５００がさらに安定して支持されやすい。このため、製氷機ユニット５００の輸送時の外れにくさのさらなる向上を図ることができる。
【０１０５】
本実施形態では、第１取付部５２０Ａが第１受け部４４０Ａから抜ける第１方向とは反対の第２方向から製氷機ユニット５００に面した第１抜け抑制部４５０Ａを有する。このような構成によれば、第１抜け抑制部４５０Ａにより製氷機ユニット５００の脱落方向の移動が抑制され、製氷機ユニット５００が輸送時に冷凍室棚４００から外れにくくなる。
【０１０６】
本実施形態では、冷凍室棚４００の周縁部は、冷蔵庫１の前後方向で第１取付部５２０Ａよりも前側に配置され、冷蔵庫１の前方から第１取付部５２０Ａに面し、第１取付部５２０Ａの前後方向の位置を規制する前壁４１２ａを有する。このような構成によれば、冷凍室棚４００に対する製氷機ユニット５００の取り付け時に、冷凍室棚４００に対する製氷機ユニット５００の位置が安定しやすい。このため、組立作業性を向上させることができる。本実施形態では、冷蔵庫冷凍室棚４００の前壁４１２ａは、スライド方向ＳＤに沿って延び、第１取付部５２０Ａのスライド方向ＳＤの移動を案内する。このような構成によれば、組立作業性をさらに向上させることができる。
【０１０７】
本実施形態では、製氷機ユニット５００は、冷凍室１２０のなかでスライド方向ＳＤの前側とは反対側に偏って配置され、スライド方向ＳＤとは反対方向の移動が冷凍室１２０の左側部１２２により規制されている。このような構成によれば、製氷機ユニット５００の脱落方向の移動がさらに抑制され、製氷機ユニット５００が輸送時に冷凍室棚４００からさらに外れにくくなる。
【０１０８】
（変形例）
次に、ひとつの変形例について説明する。なお、上記実施形態と同じまたは類似の機能を有する構成には同一の符号を付し、その詳しい説明は省略する。
【０１０９】
図２０は、実施形態の変形例の冷蔵庫１を示す断面図である。本変形例では、冷蔵庫１は、冷凍室１２０の天井面を形成した天井壁１２７を有する。本変形例では、第１および第２の受け部４４０Ａ，４４０Ｂは、天井壁１２７に設けられている。製氷機ユニット５００の第１および第２の取付部５２０Ａ，５２０Ｂは、冷凍室１２０の天井壁１２７に対して所定のスライド方向ＳＤにスライド移動されることで天井壁１２７の第１および第２の受け部４４０Ａ，４４０Ｂに着脱可能に取り付けられて天井壁１２７に支持されている。製氷機ユニット５００は、冷凍室１２０のなかで冷蔵庫１の横幅方向でスライド方向ＳＤの進行先側（本変形例では右方向）とは反対側に偏って配置され、スライド方向ＳＤとは反対方向の移動が冷凍室１２０の左側部１２２により規制されている。天井壁１２７は、「天井部」の一例である。なお、「天井部」は、天井壁１２７に限定されず、天井壁１２７に設けられた構造物などでもよい。
【０１１０】
本変形例では、製氷機ユニット５００と、筐体１００の左側部１２２との間には、製氷機ユニット５００が天井壁１２７に容易に取り付けられることを許容する隙間Ｓ３（遊び）が存在してもよい。このような隙間Ｓ３が存在する場合でも、例えば製氷機ユニット５００が冷凍室１２０の中央部に配置される場合と比べて、製氷機ユニット５００が脱落しにくくなる。なお、隙間Ｓには、製氷機ユニット５００が天井壁２１７に取り付けられた後に、左側部１２２の一部として設けられたスペーサ１２８が挿入され、このスペーサ１２８によって製氷機ユニット５００のスライド方向ＳＤとは反対方向の移動が規制されてもよい。受け部４４０Ａ，４４０Ｂと取付部５２０Ａ，５２０Ｂとのうち少なくとも一方が弾性を有し、これにより比較的小さな隙間Ｓ３で製氷機ユニット５００が天井壁１２７に取り付け可能であってもよい。
【０１１１】
以上、ひとつの実施形態について説明したが、実施形態は上記例に限定されない。例えば、冷凍室棚４００は、ガラス板４０１と枠部４０２とを有する必要はなく、例えば全体が合成樹脂または他の素材で形成されてもよい。なお、第１取付部５２０Ａ，５２０Ｂは、複数の係合部を有することに代えて、係合部を１つだけ有してもよい。これは、第２取付部５２０Ｂ、第１受け部４４０Ａ、第２受け部４４０Ｂでも同様である。また、係合部や係合受け部の形状は、フックに限らず、他の形状でもよい。
【０１１２】
本明細書でいう「特別部材」または「特別ユニット」は、製氷機ユニットに限定されない。特別部材（特別ユニット）は、冷蔵庫の貯蔵室に設置される部材を広く意味し、棚に取り付けられる部材でもよく、貯蔵室の天井壁や左右の側部、または底部に取り付けられる部材でもよい。製氷機ユニット５００以外の「特別部材（特別ユニット）」の例は、棚や貯蔵室の壁部に取り付けられる容器などである。
【０１１３】
以上説明した少なくともひとつの実施形態によれば、冷蔵庫は、筐体と、棚と、特別部材とを持つ。前記筐体は、貯蔵室を有する。前記棚は、前記貯蔵室に配置されている。前記棚の周縁部の下部には、第１受け部が設けられている。前記特別部材は、前記第１受け部に取り付けられ、前記棚に支持されている。このような構成によれば、特別部材の輸送時の外れにくさの向上を図ることができる。
【０１１４】
また別の観点によれば、以上説明した少なくともひとつの実施形態によれば、冷蔵庫は、筐体と、棚と、特別部材とを持つ。前記棚は、貯蔵室を有する。前記棚は、前記貯蔵室に配置されている。前記特別部材は、前記棚に対して所定のスライド方向にスライド移動されることで前記棚に着脱可能に取り付けられて前記棚に支持されている。前記特別部材は、前記貯蔵室のなかで前記冷蔵庫の横幅方向で前記スライド方向の前側とは反対側に偏って配置され、前記スライド方向とは反対方向の移動が前記貯蔵室の側部により規制されている。このような構成によれば、特別部材の輸送時の外れにくさの向上を図ることができる。
【０１１５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１６】
１…冷蔵庫、１００…筐体、１２０…冷凍室（貯蔵室）、１２２，１２３…冷凍室の側部、１２４Ａ，１２４Ｂ，１２５Ａ，１２５Ｂ…棚支持部、１２７…天井壁（天井部）、４００…冷凍室棚、４０１…ガラス板、４０２…枠部、４１２ａ…前壁（第２前後位置規制部、第１壁部）、４２０Ａ…上下位置規制部、４３０…前後位置規制部（第１前後位置規制部）、４４０Ａ…第１受け部、４４０Ｂ…第２受け部、４５０Ａ…第１抜け抑制部、４５０Ｂ…第２抜け抑制部、５００…製氷機ユニット（特別部材）、５２０Ａ…第１取付部、５２０Ｂ…第２取付部、５１４ａ…前壁（第２壁部）、ＳＤ…スライド方向。
【図１】
2020098066.tif 000003
【図２】
2020098066.tif 000004
【図３】
2020098066.tif 000005
【図４】
2020098066.tif 000006
【図５】
2020098066.tif 000007
【図６】
2020098066.tif 000008
【図７】
2020098066.tif 000009
【図８】
2020098066.tif 000010
【図９】
2020098066.tif 000011
【図１０】
2020098066.tif 000012
【図１１】
2020098066.tif 000013
【図１２】
2020098066.tif 000014
【図１３】
2020098066.tif 000015
【図１４】
2020098066.tif 000016
【図１５】
2020098066.tif 000017
【図１６】
2020098066.tif 000018
【図１７】
2020098066.tif 000019
【図１８】
2020098066.tif 000020
【図１９】
2020098066.tif 000021
【図２０】
2020098066.tif 000022